(57)【要約】【課題】  本発明は光ファイバーケーブル固定具に関し、ファイバ芯線を断線させる虞のない光ファイバーケーブル固定具を提供することを第一の目的とし、本発明の第二の目的は、様々な線径の光ファイバーケーブルに対応可能な光ファイバーケーブル固定具を提供することにある。【解決手段】  請求項１に係る光ファイバーケーブル固定具は、宅内設置型装置の筐体に取り付き、光ファイバーケーブルを挿入する２つのＶ字溝が上下方向に設けられた固定ブロックと、前記固定ブロックに冠着する固定カバーとからなり、前記固定カバーとＶ字溝とで、Ｖ字溝内に挿入された光ファイバーケーブルを挟持することを特徴とする。【選択図】    図１
2008015276.tif 000002
【特許請求の範囲】
【請求項１】
宅内設置型装置の筐体に取り付き、光ファイバーケーブルを挿入する２つのＶ字溝が上下方向に設けられた固定ブロックと、
前記固定ブロックに冠着する固定カバーとからなり、
前記固定カバーとＶ字溝とで、Ｖ字溝内に挿入された光ファイバーケーブルを挟持することを特徴とする光ファイバーケーブル固定具。
【請求項２】
前記Ｖ字溝の縁部は、光ファイバーケーブルの外皮に食い込む断面山形形状とされていることを特徴とする請求項１に記載の光ファイバーケーブル固定具。
【請求項３】
前記固定ブロックは、有底の円筒状に形成されてその周壁に前記Ｖ字溝が形成されると共に、
前記固定カバーは、前記固定ブロック内に挿入可能な２つの湾曲羽が形成され、
両湾曲羽は、固定カバーの一方向の回転動作で光ファイバーケーブルをＶ字溝内に滑り込ませる湾曲傾斜部が設けられていることを特徴とする請求項１または請求項２に記載の光ファイバーケーブル固定具。
【請求項４】
前記湾曲傾斜部の縁部は、光ファイバーケーブルの外皮に食い込む断面山形形状に形成されていることを特徴とする請求項３に記載の光ファイバーケーブル固定具。
【請求項５】
前記固定カバーの上部に径方向内方へ突出する凸部を設けると共に、前記湾曲羽の基部に、固定カバーの回転動作で前記凸部が嵌合する凹部を周方向に設けたことを特徴とする請求項３または請求項４に記載の光ファイバーケーブル固定具。
【請求項６】
前記湾曲羽を、固定ブロックの底面に当接可能に延設すると共に、当該底面とこれに当接する湾曲羽に、固定カバーの回転を防止する凹凸部を設けたことを特徴とする請求項３乃至請求項５のいずれか１項に記載の光ファイバーケーブル固定具。
【請求項７】
前記固定ブロックに、固定カバーの逆回転を防止するストッパを設けたことを特徴とする請求項３乃至請求項６のいずれか１項に記載の光ファイバーケーブル固定具。                                                                              
【発明の詳細な説明】
【技術分野】
【０００１】
本発明は、光ファイバーによる家庭向けのデータ通信サービス(ＦＴＴＨ；Ｆｉｂｅｒ Ｔｏ Ｔｈｅ Ｈｏｍｅ）等で使用される宅内設置型装置（ＯＮＵ；Ｏｐｔｉｃａｌ Ｎｅｔｗｏｒｋ Ｕｎｉｔ）の、光ファイバーケーブルを固定するのに好適なケーブル固定具に関する。
【背景技術】
【０００２】
大容量のデータ通信サービスとして、昨今、光ファイバーによる家庭向けのデータ通信サービス（ＦＴＴＨ）が普及しており、このデータ通信サービスでは、パソコン等の端末機器をネットワークに接続するための宅内設置型装置（ＯＮＵ）が加入者宅に設置されている。
そして、この宅内設置型装置にケーブル固定具を介して光ファイバーケーブルが接続されており、光ファイバーケーブルは、主にドロップケーブル，インドアケーブル等の細線ファイバーケーブルが使用されている。
【０００３】
図１２乃至図１４は特許文献１に開示されたケーブル固定具を示し、このケーブル固定具１は、光ファイバーケーブル３を挟持するくさび型クランプ５と、宅内設置型装置の所定位置に一体的に取り付く固定ブロック７と、この固定ブロック７に被せるカバー９とで構成されており、固定ブロック７は断面凹型で、内側の両側面がテーパ面とされたクランプ取付部１１が設けられている。そして、図１３に示すようにクランプ取付部１１にくさび型クランプ５が取り付くようになっており、クランプ取付部１１の両側面には、くさび型クランプ５に設けた爪部１３が係止する鋸歯状凹凸部１５が設けられている。
【０００４】
而して、前記ケーブル固定具１による光ファイバーケーブル３の取付けは、図１２に示すようにくさび型クランプ５で光ファイバーケーブル３の外皮を挟み込み、これを図１３の如くクランプ取付部１１内に挿入，スライドさせて爪部１３を鋸歯状凹凸部１５を係止させることで、光ファイバーケーブル３が宅内設置型装置に接続，固定され、最後に上方より固定ブロック７にカバー９を被せて光ファイバーケーブル３の接続部が保護されている。
【特許文献１】特許第３３７８４６９号公報
【発明の開示】
【発明が解決しようとする課題】
【０００５】
しかし乍ら、前記ケーブル固定具１は、くさび型クランプ５に挟み込む光ファイバーケーブル３の線径が限定されてしまうことから、近年使用され始めた様々な線径の光ファイバーケーブルを把持固定するのが困難となっている。
また、前記ケーブル固定具１は、くさび型クランプ５をクランプ取付部１１内に挿入，スライドさせて光ファイバーケーブル３を宅内設置型装置に接続，固定するスライド構造を用いているため、光ファイバーケーブル３の余長処理後にくさび型クランプ５をスライドさせて光ファイバーケーブル３を引っ張ってしまうと、ファイバ芯線が断線してしまう虞があった。
【０００６】
本発明は斯かる実情に鑑み案出されたもので、ファイバ芯線を断線させる虞のない光ファイバーケーブル固定具を提供することを第一の目的とし、本発明の第二の目的は、様々な線径の光ファイバーケーブルに対応可能な光ファイバーケーブル固定具を提供することにある。
【課題を解決するための手段】
【０００７】
斯かる目的を達成するため、請求項１に係る光ファイバーケーブル固定具は、宅内設置型装置の筐体に取り付き、光ファイバーケーブルを挿入する２つのＶ字溝が上下方向に設けられた固定ブロックと、前記固定ブロックに冠着する固定カバーとからなり、前記固定カバーとＶ字溝とで、Ｖ字溝内に挿入された光ファイバーケーブルを挟持することを特徴とする。
【０００８】
そして、請求項２に係る発明は、請求項１に記載の光ファイバーケーブル固定具に於て、前記Ｖ字溝の縁部は、光ファイバーケーブルの外皮に食い込む断面山形形状とされていることを特徴とし、請求項３に係る発明は、請求項１または請求項２に記載の光ファイバーケーブル固定具に於て、前記固定ブロックは、有底の円筒状に形成されてその周壁に前記Ｖ字溝が形成されると共に、前記固定カバーは、前記固定ブロック内に挿入可能な２つの湾曲羽が形成され、両湾曲羽は、固定カバーの一方向の回転動作で光ファイバーケーブルをＶ字溝内に滑り込ませる湾曲傾斜部が設けられていることを特徴とする。
【０００９】
更に、請求項４に係る発明は、請求項３に記載の光ファイバーケーブル固定具に於て、前記湾曲傾斜部の縁部は、光ファイバーケーブルの外皮に食い込む断面山形形状に形成されていることを特徴とし、請求項５に係る発明は、請求項３または請求項４に記載の光ファイバーケーブル固定具に於て、前記固定カバーの上部に径方向内方へ突出する凸部を設けると共に、前記湾曲羽の基部に、固定カバーの回転動作で前記凸部が嵌合する凹部を周方向に設けたことを特徴とする。
【００１０】
そして、請求項６に係る発明は、請求項３乃至請求項５のいずれか１項に記載の光ファイバーケーブル固定具に於て、前記湾曲羽を、固定ブロックの底面に当接可能に延設すると共に、当該底面とこれに当接する湾曲羽に、固定カバーの回転を防止する凹凸部を設けたことを特徴とし、請求項７に係る発明は、請求項３乃至請求項６のいずれか１項に記載の光ファイバーケーブル固定具に於て、前記固定ブロックに、固定カバーの逆回転を防止するストッパを設けたことを特徴とする。
【発明の効果】
【００１１】
各請求項に係る発明によれば、光ファイバーケーブルの固定作業時に光ファイバーケーブルを引っ張るといった操作を行わないため、余長処理後に光ファイバーケーブルを引っ張ってしまうことによるファイバ芯線の断線がない利点を有する。
そして、請求項２及び請求項４に係る発明によれば、山形形状に形成されたＶ字溝の縁部や湾曲傾斜部が光ファイバーケーブルの外皮に食い込むため、光ファイバーケーブルの固定が確実になされる利点を有する。
【００１２】
また、請求項３に係る発明によれば、光ファイバーケーブルの固定を、湾曲羽の湾曲傾斜部とＶ字溝による挟み込み構造としたので、近年使用され始めた様々な線径の光ファイバーケーブルに対応が可能である。
更にまた、請求項５に係る発明によれば、凸部が凹部に嵌合して固定カバーが固定ブロックに確実にロック装着され、請求項６に係る発明によれば、凸部と凹凸部との係合で固定カバーの緩み防止が図られるので、光ファイバーケーブルの固定が確実となる利点を有する。
【００１３】
そして、請求項７に係る発明によれば、光ファイバーケーブルの取付けに当たり、誤って固定カバーを逆回転させても、ストッパがその回転動作を規制するため、固定カバーによる光ファイバーケーブルの損傷が防止できる利点を有する。
【発明を実施するための最良の形態】
【００１４】
以下、本発明の実施形態を図面に基づいて詳細に説明する。
図１は請求項１乃至請求項７に係る光ファイバーケーブル固定具の一実施形態を示し、図示するように光ファイバーケーブル固定具２１は、有底の円筒状に形成された固定ブロック２３と、当該固定ブロック２３の上方からこれに冠着する固定カバー２５とで構成されている。
【００１５】
尚、図示しないが固定ブロック２３は宅内設置型装置の筐体に一体成形されており、本実施形態は、固定ブロック２３を宅内設置型装置側に配備し、固定カバー２５を同一材料のモールドで形成している。
而して、図１及び図２に示すように固定カバー２３の周壁２６には、光ファイバーケーブル２７を固定する２つのＶ字溝２９が１８０°の間隔を空けて上下方向に設けられており、Ｖ字溝２９は上部が開口している。そして、図３及び図４に示すようにＶ字溝２９の縁部３１は、光ファイバーケーブル２７の外皮に食い込む断面山形形状とされている。
【００１６】
一方、図１及び図２に示すように固定カバー２５は、固定ブロック２３よりもやや大径な円盤状のプレート３３と、当該プレート３３に一体成形された２つの同一形状の湾曲羽３５とで構成されており、図５に示すように湾曲羽３５は固定ブロック２３の内周に沿って平面視円弧状に形成され、両湾曲羽３５の端部間に、Ｖ字溝２９の開口幅よりも広い間隙３７が設けられている。
【００１７】
そして、図１及び図２に示すように湾曲羽３５には、光ファイバーケーブル２７をＶ字溝２９の下方へ滑り込ませる構造として、下端に右下がりの湾曲傾斜部３９が設けられており、図１の如くＶ字溝２９間に光ファイバーケーブル２７を挿入し、Ｖ字溝２９と前記間隙３７を一致させて上方より固定カバー２５の湾曲羽３５を固定ブロック２３内に完全に挿入した後、固定カバー２５を右回転（図２中、矢印方向）させると、両湾曲傾斜部３９が光ファイバーケーブル２７をＶ字溝２９の下方へ滑り込ませて、湾曲傾斜部３９とＶ字溝２９の縁部３１とで光ファイバーケーブル２７を挟持，固定するようになっている。
【００１８】
このように、本実施形態は、光ファイバーケーブル２７の固定を、湾曲傾斜部３９とＶ字溝２９との挟持構造としたので、図７（ａ）〜（ｅ）に示すように近年使用され始めた様々な線径の光ファイバーケーブル２７〜２７-4にも、固定カバー２５の回転量を調節することで対応が可能である。
そして、図８及び図９に示すように光ファイバーケーブル２７の外皮の挟み込みを確実にするため、湾曲傾斜部３９の縁部は、湾曲羽３５に沿って２段の山形形状とされている。
【００１９】
更に、図２に示すように両湾曲羽３５は、固定カバー２５を固定ブロック２３内に完全に挿入した際に、固定ブロック２３の底面４１に当接可能に延設されている。そして、図５及び図１０に示すように前記底面４１に当接する湾曲羽３５の当接部位に、正面視カマボコ形状且つ断面半円形状の２つの凸部４３がプレート３３の径方向に並設されると共に、これに対応して底面４１側に、周壁２６に沿って連続した断面半円形状の凹凸部４５，４７が設けられており、固定カバー２５の右回転動作時に前記凸部４３を凹凸部４５，４７に段階的に係合させることで、固定カバー２５の回転動作に簡易ロックがかかって固定カバー２５の緩み防止が図られている。
【００２０】
また、図１，図６及び図９に示すように固定ブロック２３の周壁２６の上部には、前記間隙３７よりも幅狭な凸部４９が径方向内方へ１８０°の間隔を空けて突設されると共に、固定カバー２５の両湾曲羽３５の基部に、前記凸部４９が嵌合可能な凹部５１が周方向に設けられており、既述したようにＶ字溝２９と前記間隙３７を一致させて固定カバー２５の湾曲羽３５を固定ブロック２３内に完全に挿入した後、固定カバー２５を右回転させると、凸部４９が両湾曲羽３５の凹部５１に嵌合して固定カバー２５が固定ブロック２３に確実にロック装着されるようになっている。
【００２１】
このように本実施形態に係る光ファイバーケーブル固定具２１は、固定カバー２５の右回転動作で固定カバー２５が固定ブロック２３にロック装着されると共に、湾曲羽３５（湾曲傾斜部３９）が光ファイバーケーブル２７をＶ字溝２９の下方へ滑り込ませて、湾曲傾斜部３９とＶ字溝２９の縁部３１とで光ファイバーケーブル２７を挟持，固定するように構成されているが、図１及び図１１に示すように固定ブロック２３の周壁２６の内周には、光ファイバーケーブル２７の取付けに当たり、湾曲羽３５を固定ブロック２３内に挿入した後、誤って固定カバー２５を左回転させた際に、湾曲羽３５の一側縁部５３に当接してその回転動作を阻止するストッパ（回転止め突起）５５が突設されており、斯様に固定カバー２５の左回転動作を規制することで、固定カバー２５による光ファイバーケーブル２７の損傷防止を図っている。
【００２２】
本実施形態に係る光ファイバーケーブル固定具２１はこのように構成されているから、これを用いた光ファイバーケーブル２７の固定は、先ず、図１に示すようにＶ字溝２９間に光ファイバーケーブル２７を挿入し、Ｖ字溝２９と前記間隙３７を一致させて上方より固定カバー２５の湾曲羽３５を固定ブロック２３内に完全に挿入する。
この後、固定カバー２５を右回転させればよく、固定ブロック２３は周壁２６が円筒状に形成されると共に、周壁２６の内周に沿って固定カバー２５の湾曲羽３５が円弧状に形成されているため、固定ブロック２３に挿入した固定カバー２５の回転動作がスムーズに行えることとなる。
【００２３】
そして、固定カバー２５の回転動作に伴い、両湾曲羽３５の湾曲傾斜部３９が光ファイバーケーブル２７をＶ字溝２９の下方へ滑り込ませて、湾曲傾斜部３９とＶ字溝２９の縁部３１とで光ファイバーケーブル２７を挟持，固定する。
而して、このとき、図４及び図９に示すように、山形形状に形成されたＶ字溝２９の縁部３１と湾曲傾斜部３９の縁部が光ファイバーケーブル２７の外皮に食い込んで光ファイバーケーブル２７の固定を確実にすると共に、固定カバー２５の右回転動作時に湾曲羽３５の凸部４３を固定ブロック２３側の凹凸部４５，４７に段階的に係合させることで、固定カバー２５の回転動作に簡易ロックがかかって固定カバー２５の緩み防止が図られ、更に、固定カバー２５の回転動作に伴い、固定ブロック２３側の凸部４９が両湾曲羽３５の凹部５１に嵌合して固定カバー２５が固定ブロック２３に確実にロック装着されることとなる。
【００２４】
また、光ファイバーケーブル２７の取付けに当たり、湾曲羽３５を固定ブロック２３内に挿入した後、誤って固定カバー２５を左回転させても、ストッパ５５が湾曲羽３５の一側縁部５３に当接してその回転動作を規制し、固定カバー２５による光ファイバーケーブル２７の損傷が防止されることとなる。
そして、図７（ａ）〜（ｅ）に示すように様々な線径の光ファイバーケーブル２７〜２７-4も、固定カバー２５の回転量を調節することで対応が可能となる。
【００２５】
このように本実施形態に係る光ファイバーケーブル固定具２１は、図１４の光ファイバーケーブル固定具１と異なり、光ファイバーケーブル２７の固定作業時に光ファイバーケーブル２７を引っ張るといった操作を行わないため、余長処理後に光ファイバーケーブル２７を引っ張ってしまうことによるファイバ芯線の断線がない利点を有する。
而も、既述したように光ファイバーケーブル２７の固定時に、山形形状に形成されたＶ字溝２９の縁部３１と湾曲傾斜部３９の縁部が光ファイバーケーブル２７の外皮に食い込み、前記凸部４３と凹凸部４５，４７との係合で固定カバー２５の緩み防止が図られ、更に、前記凸部４９が凹部５１に嵌合して固定カバー２５が固定ブロック２３に確実にロック装着されるため、光ファイバーケーブル２７の固定が確実になされる利点を有する。
【００２６】
また、光ファイバーケーブル２７の取付けに当たり、誤って固定カバー２５を左回転させても、ストッパ５５がその回転動作を規制するため、固定カバー２５による光ファイバーケーブル２７の損傷が防止できる利点を有する。
そして、本実施形態は、光ファイバーケーブル２７の固定を、湾曲羽３５の湾曲傾斜部３９とＶ字溝２９による挟み込み構造としたので、図７（ａ）〜（ｅ）に示すように、近年使用され始めた様々な線径の光ファイバーケーブル２７〜２７-4に対応が可能である。
【００２７】
更に、本実施形態によれば、固定ブロック２３を宅内設置型装置の筐体に一体成形することが容易で、固定ブロック２３を宅内設置型装置側に配備し、固定カバー２５を同一材料のモールドで形成することにより、一種材料，二部品で構成できるために低コスト化が図れる利点を有する。
尚、上記実施形態は、固定カバー２５の回転動作によって光ファイバーケーブル２７をＶ字溝２９に固定する構成としたが、固定カバーを固定ブロックに冠着して光ファイバーケーブルをＶ字溝に固定しうる構造であれば、上記実施形態に限定されるものではない。
【図面の簡単な説明】
【００２８】
【図１】請求項１乃至請求項７の一実施形態に係る光ファイバーケーブル固定具の分解斜視図である。
【図２】光ファイバーケーブルの固定方法を示す光ファイバーケーブル固定具の側面図である。
【図３】Ｖ字溝の拡大斜視図である。
【図４】光ファイバーケーブルの外皮に食い込むＶ字溝の断面図である。
【図５】固定カバーの底面図である。
【図６】固定ブロックの平面図である。
【図７】光ファイバーケーブル固定具による線径違いの光ファイバーケーブルの固定状態を示す要部正面図である。
【図８】湾曲傾斜部の要部拡大斜視図である。
【図９】固定カバーと固定ブロックの嵌合構造の要部拡大断面図である。
【図１０】固定カバーの簡易ロック構造の要部拡大断面図である。
【図１１】固定カバーの逆回転止め構造の要部拡大断面図である。
【図１２】従来の光ファイバーケーブル固定具を構成するくさび型クランプの斜視図である。
【図１３】従来の光ファイバーケーブル固定具による光ファイバーケーブルの固定方法を示す斜視図である。
【図１４】従来の光ファイバーケーブル固定具による光ファイバーケーブルの固定方法を示す斜視図である。
【符号の説明】
【００２９】
２１  光ファイバーケーブル固定具
２３  固定ブロック
２５  固定カバー
２７，２７-1，２７-2，２７-3，２７-4  光ファイバーケーブル
２９  Ｖ字溝
３５  湾曲羽
３７  間隙
３９  湾曲傾斜部
４３，４９  凸部
４５，４７  凹凸部
５１  凹部
５５  ストッパ                                                                               
【図１】
2008015276.tif 000003
【図２】
2008015276.tif 000004
【図３】
2008015276.tif 000005
【図４】
2008015276.tif 000006
【図５】
2008015276.tif 000007
【図６】
2008015276.tif 000008
【図７】
2008015276.tif 000009
【図８】
2008015276.tif 000010
【図９】
2008015276.tif 000011
【図１０】
2008015276.tif 000012
【図１１】
2008015276.tif 000013
【図１２】
2008015276.tif 000014
【図１３】
2008015276.tif 000015
【図１４】
2008015276.tif 000016